Podtech/llm-jp-corpus-v4-ja_patent huggingface dataset:
(57)【要約】【課題】長尺管の内面異物を搬送ラインで除去するための管端固定装置を提供する。【解決手段】長尺管の内面異物を搬送ラインで除去するための管端固定装置において、一端をシリンダ駆動する管端固定用アームで構成された該管端固定装置によって、管端部をエアブローノズルの軸線上に固定したことを特徴とする管の内面異物除去エアブローのための管端固定装置。また、上記管端固定装置において、接近センサーを配設し、該接近センサーによって管がエアブローノズルの近傍に来るのを検知し、管端固定用アームで管端部をエアブローノズルの軸線上に固定したことを特徴とする管の内面異物除去エアブローのための管端固定装置。【選択図】    図１
2005058817.tif 000002
【特許請求の範囲】
【請求項１】
長尺管の内面異物を搬送ラインで除去するための管端固定装置において、一端をシリンダ駆動する管端固定用アームで構成された該管端固定装置によって、管端部をエアブローノズルの軸線上に固定したことを特徴とする管の内面異物除去エアブローのための管端固定装置。
【請求項２】
請求項１に記載の管端固定装置において、接近センサーを配設し、該接近センサーによって管がエアブローノズルの近傍に来るのを検知し、管端固定用アームで管端部をエアブローノズルの軸線上に固定したことを特徴とする管の内面異物除去エアブローのための管端固定装置。
【発明の詳細な説明】
【０００１】
【発明の属する技術分野】
本発明は、長尺管の内面異物を搬送ラインで除去するための管端固定装置に関するものである。
【０００２】
【従来の技術】
一般にコールドピルガー圧延等で加工を施された管の内面には潤滑油や切断切粉といった異物が大量を溜まっており、これを除去するためには、加工後、成るべく速い段階でこれを取り除く方が、圧延油の温度が高く粘度も大きいので能率的である。そのため従来においては、圧延、切断工程に引続き同じラインで管端からエアブローを施す工程を設け、これらの異物を除去している。すなわち、図３は、従来の内面異物除去エアブロー装置にある。この図に示すように、切断工程後の搬送ライン１上に管２の一時的な受け場所３を設け、管２の端部の来る位置に支持体７に固定されたエアブローノズル４を取付け、管２の存在を接近センサーで検知して、一時的な受け場所３にてエアブローノズル４より管内面にエアブローを施して管２の内面の異物を取り除く方法が行われている。
【０００３】
【発明が解決しようとする課題】
しかしながら、上述した内面の異物を取り除く方法であると、管２の曲りが大きい場合には製品管端面がエアブローノズル軸線から外れ、この場合には、その端部は必ずしもエアブローノズル４の軸線上にないために、エアが管２の内面を通らず、製品内面に留まっている油等が効率的に除去できないと言う問題があった。
【０００４】
【発明が解決しようとする課題】
上述したような問題を解消するために、発明者らは鋭意開発を進めた結果、例え管の曲がりがあったとしてもエアが管の内面を通るように、管の端部がエアブローノズルに向くように管の端部を固定する新たな管端固定装置を設けたことにある。その発明の要旨とするところは、
（１）長尺管の内面異物を搬送ラインで除去するための管端固定装置において、一端をシリンダ駆動する管端固定用アームで構成された該管端固定装置によって、管端部をエアブローノズルの軸線上に固定したことを特徴とする管の内面異物除去エアブローのための管端固定装置。
（２）前記（１）に記載の管端固定装置において、接近センサーを配設し、該接近センサーによって管がエアブローノズルの近傍に来るのを検知し、管端固定用アームで管端部をエアブローノズルの軸線上に固定したことを特徴とする管の内面異物除去エアブローのための管端固定装置にある。
【０００５】
【発明の実施の形態】
以下、本発明について図面に従って詳細に説明する。
図１は、本発明に係る管端固定装置の正面概略図であり、図２は、同じく本発明に係る管端固定装置の上面概略図である。この図１または図２に示すように、切断工程後の搬送ライン１上にエアブロー実施のためのエリアを設け、そのエリア内に管２の一時的な受け場所３を設けると共に、管２の端部の来る位置にエアブローノズル４を取付け、接近センサー８で管２の存在を検知すると、接近センサー８に連結されているアーム駆動用エアシリンダ６を作動させる作動操作器９に伝達され、アーム駆動用エアシリンダ６が作動して管端固定用アーム５によって管の先端がエアブローノズル４の近くに来るように作動し、エアブローのための管２の一時受け場３の上で、管２の端部を管端固定用アーム５で固定する。
【０００６】
この管端固定用アーム５は閉の状態で、エアブローをタイマーでセットした時間だけ掃射し、タイムアップしたところでエアブローが停止し、管端固定用アームが開となり、管製品搬出動作を行う。これによって管２が曲がっていたとしても確実に管の端部がエアブローノズル４に向き、エアが管２の内面を通り、管の内面異物を効率良く除去することが可能となるものである。
【０００７】
【実施例】
以下、本発明について実施例によって具体的に説明する。
図１または図２に示すように、コールドピルガー圧延ライン上に本発明に係る固定装置を取付け、圧延後の管２の内面に残留している圧延油および切断切粉を除去する用途に供した。管端固定用アーム５を作動させるアーム駆動用エアシリンダ６は最大圧力１ＭＰａである。接近センサー８で管２の存在を検知すると、アーム駆動用エアシリンダ６により管端固定用アーム５が回転し、管２の端部を管の一時受場３との間に挟み込み固定する。続いてエアブローノズル４から管２の内面にエアを送り込み、タイマーで設定された時間に達するとエアブローが停止、アーム駆動用エアシリンダ６で管端固定用アーム５を回転させ、これによって、管２を開放する。管２が曲がっていても管端固定用アーム５で確実に、かつ管２の端部を管の一時受場３上に固定し、エアブローを施すことができた。
【０００８】
【発明の効果】
以上述べたように、本発明により管内の異物が効率良く除去され、従来、管に付着したまま持ち出されていた圧延油を回収することができる。また、次の脱脂工程においては、予め内面油の大部分が除去されていることから、脱脂液の劣化を軽減することができる。さらに、除去すべき油の温度が高いうちに、すなわち、油の粘度が大きいうちにエアブローを施すので、除去効率が大きく、従来の脱脂液のみによる内面洗浄よりも、異物を除去するという点で極めて優れた効果を奏するものである。
【図面の簡単な説明】
【図１】本発明に係る管端固定装置の正面概略図である。
【図２】本発明に係る管端固定装置の上面概略図である。
【図３】従来の内面異物除去エアブロー装置にある。
【符号の説明】
１  搬送ライン
２  管
３  管の一時的な受け場所
４  エアブローノズル
５  管端固定用アーム
６  アーム駆動用エアシリンダ
７  支持体
８  接近センサー
９  作動操作器
【図１】
2005058817.tif 000003
【図２】
2005058817.tif 000004
【図３】
2005058817.tif 000005
(57)【要約】【課題】高いイオン交換特性を維持し、水素イオン濃度（ＰＨ）がほぼ中性に近く、耐水性に優れたゼオライト粉末を用いた耐水性成形品の製造方法を提供することを目的とする。【解決手段】天然ゼオライト、合成ゼオライト、人工ゼオライト等のゼオライト粉末と澱粉類、マンナン、セルローズ誘導体、ポリビニルアルコール、酢酸ビニル、エチレン酢ビニル共重合体の単独または複数種類配合した接着用処理材および水とを混練して所定の形状に成形、乾燥し、次いで、これを水性造膜性無機化合物の溶液に浸漬した後、乾燥するか、あるいはいずれかの前記ゼオライト粉末と単独または複数種配合の接着用処理材および水に水性造膜性無機化合物を加えて混練後所定の形状に成形、乾燥することにより構成する。【特許請求の範囲】
【請求項１】
天然ゼオライト、合成ゼオライト、人工ゼオライト等のゼオライト粉末と澱粉類、マンナン、セルローズ誘導体、ポリビニルアルコール、酢酸ビニル、エチレン酢ビニル共重合体の単独または複数種類配合した接着用処理材および水とを混練して所定の形状に成形、乾燥し、次いで、これを水性造膜性無機化合物の溶液に浸漬した後、乾燥するか、あるいはいずれかの前記ゼオライト粉末と単独または複数種配合の接着用処理材および水に水性造膜性無機化合物を加えて混練後所定の形状に成形、乾燥することを特徴とするゼオライト粉末を用いた耐水性成形品の製造方法。
【発明の詳細な説明】
【０００１】
【発明の属する技術分野】
本発明は、ゼオライト粉末を用いた耐水性成形品の製造方法に関する。
【０００２】
【従来の技術】
従来この種成形品は、天然ゼオライト、合成ゼオライト、人工ゼオライト等のゼオライト粉末、セメントおよび水とを混練して所定の形状に成形した後、乾燥することによって製造されている。
【０００３】
【発明が解決しようとする課題】
しかしながら、前記したようにセメントを用いたゼオライト成形品は、アルカリ性が強い一方、酸に弱いため、用途的に制限されるという問題があった。
【０００４】
本発明は、前記した従来技術が有する問題点を解消するもので、高いイオン交換特性を維持し、水素イオン濃度（ＰＨ）がほぼ中性に近く、耐水性に優れたゼオライト粉末を用いた耐水性成形品の製造方法を提供することを目的とする。
【０００５】
【課題を解決するための手段】
前記目的を達成するために本発明に係るゼオライト粉末を用いた耐水性成形品の製造方法は、天然ゼオライト、合成ゼオライト、人工ゼオライト等のゼオライト粉末と澱粉類、マンナン、セルローズ誘導体、ポリビニルアルコール、酢酸ビニル、エチレン酢ビニル共重合体の単独または複数種類配合した接着用処理材および水とを混練して所定の形状に成形、乾燥し、次いで、これを水性造膜性無機化合物の溶液に浸漬した後、乾燥するか、あるいはいずれかの前記ゼオライト粉末と単独または複数種配合の接着用処理材および水に水性造膜性無機化合物を加えて混練後所定の形状に成形、乾燥することを特徴とする。
【０００６】
以下、本発明の実施の形態について詳細に説明すると、
本発明においては、（Ａ）ゼオライト粉末、（Ｂ）接着用処理材、（Ｃ）水性造膜性無機化合物および水が使用される。
【０００７】
（Ａ）ゼオライト粉末としは、天然ゼオライト、合成ゼオライト、人工ゼオライトのいずれでもよく、また、それらを２種あるいは３種混合したものを用いることもできる。
【０００８】
前記（Ｂ）接着用処理材としは、各種澱粉、マンナン、セルローズ誘導体（ＣＭＣ、メチルセルローズ等）、ポリビニルアルコール（ＰＶＡ）、酢酸ビニル、エチレン酢酸ビニルの単独または複数種類配合したものが用いられる。
【０００９】
前記（Ｃ）水性造膜性無機化合物としては、特開２００２−１８０３７４号公報に開示されたものを使用する。
すなわち、金属アルミニウム又は金属シリコンと、水和して硼酸や弗酸を解離する硼砂、硼酸、弗化ソーダ又は弗酸などの鉱酸化合物と、苛性カリ、苛性ソーダまたは苛性リチウムのアルカリ金属とを反応されるに際し、水中又は前記鉱酸化合物の溶液中で、前記金属固体と前記アルカリ金属との濃厚溶液反応を生ぜしめ、更に前記鉱酸化合物を反応せしめ、該反応熱を５０℃以上１００℃以内に制御すると共に、生成物の比重を１．１以上として造膜することを特徴とした水性造膜性無機化合物である。
【００１０】
次に、本発明の製造方法について説明する。
（製造方法１）
前記いずれかの（Ａ）ゼオライト粉末、前記材料の単独または複数種配合した（Ｂ）接着用処理材、および水とを混練して所定の形状に成形、乾燥し、これを（Ｃ）水性造膜性無機化合物の溶液に浸漬した後、約１００から１５０℃の温度にて乾燥することによってゼオライト粉末を用いた耐水性成形品が製造される。
【００１１】
（製造方法２）
前記いずれかの（Ａ）ゼオライト粉末、前記材料の単独または複数種配合した（Ｂ）接着用処理材、および水に（Ｃ）水性造膜性無機化合物を加えて混練後所定の形状に成形、乾燥する。
【００１２】
而して、前記（Ｂ）接着用処理材として、澱粉類、マンナン、セルローズ誘導体を使用する場合は前記製造方法２が適している。
【００１３】
一方前記（Ｂ）接着用処理材として、ポリビニルアルコール、酢酸ビニル、エチレン酢ビニル共重合体を使用する場合は、前記製造方法１が適している。この場合、製造方法２によると、ポリビニルアルコール等が成形前に凝固するからである。
【００１４】
【実施例１】
（Ａ）ゼオライト粉末として
天然ゼオライト粉末    １００重量部
（Ｂ）接着用処理材として
ポリビニルアルコール（ＰＶＡ）の１０％溶液    １００重量部
前記（Ａ）と（Ｂ）とを回転容器に入れ、該回転容器を回転することで前記材料を混練する。
【００１５】
その後、回転容器から内容物を取り出し、成形型に注入し、これを室内温度約１３０℃に維持された乾燥室に約５分間入れ乾燥する。
【００１６】
次いで、成形型から取り出した成形物を前記（Ｃ）水性造膜性無機化合物の溶液に浸漬した後、室内温度１５０℃に維持された乾燥室に約３分入れ乾燥する。
【００１７】
【実施例２】
（Ａ）ゼオライト粉末として
合成ゼオライト粉末    １００重量部
（Ｂ）接着用処理材として
澱粉類の１０％溶液    １００重量部
（Ｃ）水性造膜性無機化合物    ３０重量部
前記（Ａ）と（Ｂ）と（Ｃ）を回転容器に入れ、該回転容器を回転することにより前記材料を混練する。
【００１８】
その後、回転容器から内容物を取り出し、成形型に注入し、これを室内温度１５０℃に維持された乾燥室に約５分間入れ乾燥する。
【００１９】
【発明の効果】
本発明は、以上詳述したように構成されるゼオライト粉末の耐水性成形品の製造方法であるから、イオン交換特性がゼオライト粉末の約９０％と高い特性を有し、ＰＨがほぼ中性を示し、耐水性に優れている。
なお、ＰＨが３〜１１の広範囲に対応できるものである。
(57)【要約】【課題】視覚障害者用の周辺情報認識装置を手で持つことなく装着でき、周辺情報を人間の直感に合った伝達手段で伝えられる事。【解決手段】周辺情報の認識装置（４）を手の甲に装着する。また、安定に装着するために、上記装置（４）の底面（１）を湾曲させ、手の甲に密着させる構造にする。また、上記装置（４）から出力される距離情報の伝達手段として、上記装置（４）に振動子（２）を親指から小指方向に配置し、認識した距離が遠い場合は小指側の振動子（２ｄ）を振動させ、距離が近い場合は親指側の振動子（２ａ）を振動させ、人間の直感に沿った情報伝達が可能となる。【選択図】        図１
2005058828.tif 000002
【特許請求の範囲】
【請求項１】
周辺情報を認識する手段と認識した情報を人に伝達する手段を有する小型の装置において、手の甲の曲面に合わせて底面を湾曲させて手の甲の上に装置を置ける構造とし、情報を伝達するために手の甲の一部を振動させる振動子は振動吸収材を介して取り付けられる構造を有する特徴を持つ認識装置。
【請求項２】
請求項１に示す装置において、１個又は２個以上の振動子を手の甲側に配置し、認識した情報に従って振動子を振動させる組み合わせや、振動パターンを変えられる事を特徴とする認識装置。
【発明の詳細な説明】
【０００１】
【発明が属する技術分野】
本発明は、視覚障害者を対象とした周辺情報の認識装置の構造及び情報伝達方法に関している。
【０００２】
【従来の技術】
従来の認識装置は実際に手で持って使う構造、メガネ型の構造、ペンダント型の構造、白杖型の構造で作られている。
【０００３】
メガネ型の構造は普通のメガネより重くなり、使用者に負担をかける。
【０００４】
また、ペンダント型の構造の場合、認識したい個所に体を向ける必要があり細かい場所の認識は不可能である。又、手で持って使う場合には手がふさがり不自由になる。
【０００５】
また、白杖型の構造は、白杖を動かすたびに測定場所も白杖と一緒に動いてしまって測定個所が定まらない。
【０００６】
また、周辺情報を伝達する手段は音と振動があり、音では音程の変化、振動では回転数の変化で伝達していた。
【０００７】
音程の変化は人ごみなどの雑音の中では聞き取り難い場合が多く、振動回転数の変化や音程による距離の情報伝達法は、習得に時間が掛かる。
【０００８】
【発明が解決しようとする課題】
解決しようとする課題は、周辺情報の認識装置を手で持つことなく安定に装着できる事。
【０００９】
上記装置から出力される距離情報を振動で伝達する場合において、上記装置のどの部分が振動しているのかが、明確にわかること。
【００１０】
また、装置から得られた周辺情報を人間の直感に合った伝達手段で伝えられる事。
【００１１】
【課題を解決するための手段】
上記目的を達成するために、例えば超音波、赤外線を用いた周辺情報の認識する手段と認識した情報を人に伝達する手段を有する小型な装置を手の甲に装着することによって手で装置を持つ必要がなくなる。
【００１２】
また安定して装着するために、上記装置の底面（１）を手の甲の曲面に合わせ装置を湾曲させ、手の甲に密着させる構造にする。
【００１３】
振動子を取り付ける際、振動吸収材（５）を介してケース（８）に取り付けることで、取り付け側の振動は、振動吸収材（５）で吸収され、目標とする部位の振動のみを可能としている。
【００１４】
また、距離情報を伝達する手段として、上記装置に振動子を１個又は２個以上、手の甲側の親指から小指方向に配置し、例えば認識した距離が遠い場合は小指側の振動子（２ｄ）を振動させ、距離が近い場合は親指側の振動子（２ａ）を振動させる。それにより、認識した情報に従って振動子を振動させる組み合わせや、振動パターンを変えることにより、人間の直感に合った情報伝達が可能になる。
【００１５】
【発明の実施の形態】
本発明では、周辺情報の認識手段として、赤外線よりも指向性が広い超音波を選び、視覚障害者が歩行補助でも使えるように携帯型で実現した。振動子（２）は、小型振動モータを使用。また認識装置（４）を装置固定具（９）で手の甲に固定してある。
【００１６】
【実施例】
図１は、本発明の実施例であり、視覚障害者が白杖と併用して歩行補助に本装置を手の甲に装着し歩行している様子を示している。
【図面の簡単な説明】
【図１】視覚障害者が白杖と併用して歩行補助に本装置を手の甲に装着し歩行している図。
【図２】装置を手の甲に装置固定具（９）にて装置を装着した図
【図３】装置の外観図である。
【図４】装置のＡ−Ａ断面図である。
【図５】装置のＢ−Ｂ断面図である。
【符号の説明】
１  底面
２  振動子
２ａ  親指側の振動子
２ｄ  小指側の振動子
３  超音波素子
４、６  認識装置
５  振動吸収材
７  白杖
８  ケース
９  装置固定具
１０  超音波ビーム
【図１】
2005058828.tif 000003
【図２】
2005058828.tif 000004
【図３】
2005058828.tif 000005
【図４】
2005058828.tif 000006
【図５】
2005058828.tif 000007
(57)【要約】【課題】お腹の調子が悪く、下痢や腹痛の症状の時に腸を刺激する事で、腸の機能が改善・回復する事は知られている。しかしながら、自分のお腹を自分の手で刺激するには体勢的な無理があるし、周囲の人にマッサージを頼みたくても無理な状況の場合がある。【解決手段】人の手を借りなくても、自分がマッサージ補助用具を使う事で、他の人からマッサージを受ける事以上に的確なマッサージが可能となり、十分なマッサージ効果を得る事ができるので、この問題は解決する。【選択図】図１
2005058390.tif 000002
【特許請求の範囲】
【請求項１】
自分で自分の体の手が届かない場所や、手は届くが必要な力が加わらない体の部分を自分自身でマッサージをする事ができる。自分自身の腕の重みと自らの意思によるマッサージ面への加重でマッサージに必要な力を、必要な場所に加える事ができるマッサージ補助用具である。
【請求項２】
マッサージ面を平たく広く使う事で、お腹の広い面積を穏やかにマッサージする事ができる、またマッサージ面を狭く使う事で、お腹の一部分を集中的にマッサージする事ができる。マッサージ面の使用角度を変える事で必要に応じたマッサージのできる形状を持つマッサージ補助用具である。
【発明の詳細な説明】
【技術分野】
【０００１】
本発明は、自分自身で胃腸のマッサージを行う事で胃腸を活性化させる効果がある。内臓の働きが良くなる事で心身ともに健康体になり、医者通いの必要の無い健全で豊かな人生を送れる事になる。
【背景技術】
【０００２】
従来の胃腸の健康の為の発明には、突起体を腹部に乗せて重力を利用した健康増進器がある（例えば特許文献１参照。）。また、自分の体重を利用して突起物の上で背中や首・腰を動かせる器具がある（例えば特許文献２参照。）。あるいは複式呼吸とゴム帯との連動力を利用したものがある（例えば実用新案文献１参照。）。
【特許文献１】特開平11-164872号公報
【特許文献２】特開2002-85516号公報
【特許文献３】実開平7-27607号公報
【発明の開示】
【発明が解決しようとする課題】
【０００３】
胃腸に痛みを感じると、処置として薬剤を服用するのが一般的である。薬の服用だけで全快しない場合には、医師からの処置が必要である。
【０００４】
しかし、胃腸の活性化をさせるのには、薬剤の投与に頼る事なく、胃腸自身を自然治癒力でもって機能を正常に戻す事が、体に取って一番良い方法である。
【０００５】
家族やマッサージ師に胃腸へのマッサージを受ければよいのだが、マッサージを行う側の都合もあり、自分の体調の悪い時に必ずしもマッサージを受ける事ができるとは限らない状況がある。
【０００６】
自分の指や手のひらを使って、胃や腸のマッサージをする事が不可能ではないが、マッサージ胃を行う角度や力の入れ具合が難しく、思う様な力が加わらない等の問題があるので、それを解決するマッサージ補助用具を開発した。
【課題を解決するための手段】
【０００７】
マッサージ師の手のひらと同じ動きを、補助用具のマッサージ面を操作し、痛みや違和感のある部分を自分でマッサージを行う。
【０００８】
この補助用具には１個のマッサージ面が付いている、この中心を広く使う事で、お腹全体的のマッサージをする事ができる。
【０００９】
マッサージ面を少し傾ける事で、マッサージ面を小さくしてお腹の痛い部分を集中的に揉み解すマッサージを行う事ができる。
【発明の効果】
【００１０】
マッサージを他人から受ける、あるいは電気的装置を使って背中や足のマッサージをする事は一般的である。体の前面部、特に胃腸については電気的装置でのマッサージも可能であるが、あまり利用しやすいものではない。
【００１１】
自分で自分のお腹をマッサージするのであるから、自分でお腹の調子が悪い時に、自分の納得のいくマッサージが可能となる。
【００１２】
お腹の調子が悪くなくても、自分で継続的にマッサージを行う事で、胃腸の調子を活性し、それを維持させる事になるので、健康増進に大いに活用される。
【００１３】
サイズも小さいく、常に携帯している事も可能である。
【００１４】
若い人に限らず、高齢者でも使用が可能であるので、老人の医者通いの頻度が減る効果が得られる。
【発明を実施するための最良の形態】
【００１５】
当用具を腹部に当て、自分で内臓を活性化させるマッサージが出来る。
【実施例】
【００１６】
仰向けに寝た状態で、両足の膝を曲げる。そして当発明品のハンドル部分を持ってお腹に当て、強い痛みを感じない程度の力でお腹をマッサージする。弱っている場所では強い痛みを感じるので、その部分については当用具を少し傾け、マッサージ面を狭くして、痛みのある周辺をゆっくりとほぐす様にマッサージをする。お腹から音が発生すると、その部分については活性化される状態となる。マッサージに要する時間は１回あたり５〜６分とする。
【図面の簡単な説明】
【００１７】
【図１】正面図
【図２】側面図  全体のゆっくりとしたマッサージを行うマッサージ面
【図３】側面図  痛みを感じる部分を狭い面積で集中的に行うマッサージ面
【符号の説明】
【００１８】
１  ハンドル
２  マッサージ面とハンドルをつなぐアーム
３  マッサージ面
【図１】
2005058390.tif 000003
【図２】
2005058390.tif 000004
【図３】
2005058390.tif 000005
【手続補正書】
【提出日】平成16年9月21日(2004.9.21)
【手続補正１】
【補正対象書類名】特許請求の範囲
【補正対象項目名】全文
【補正方法】変更
【補正の内容】
【特許請求の範囲】
【請求項１】
アームの両端にあるハンドルを手で持ち、ハンドル軸の垂直方向にマッサージ面を有する腹部マッサージ用具。
【請求項２】
角にRの付いた円筒状のマッサージ面を持つ。マッサージ面を平たく広く使う事で、お腹の広い面積を穏やかにマッサージする事ができる、またRの付いた狭い面でマッサージをする事で、お腹の一部分を集中的にマッサージする事ができる。マッサージ面の使用角度を変える事で必要に応じたマッサージのできる形状を持つマッサージ用具。
(57)【要約】【課題】通常の状態に使用しても段差もしくは、へこみなどができず、足が疲れた時に足枕の役目になり、尚且つ足枕の高さ調整が利き、就寝中にもずれる事無なく、貴重品やお気に入りの香り袋が手軽に収納できて、肉体疲労回復、精神的にも安定して快い睡眠が得られる事が出来る、足枕機能や収納が付いている敷布団を課題とする。【解決手段】側面から見て足側を上下に２分割させ、足が疲れた時、図３の４、足枕機能下面部を丸め込みまたは、折り曲げ足枕状にし、別体の布袋を縫製して敷布団の側面の内部に設ける。【選択図】  図３
2005058324.tif 000002
【特許請求の範囲】
【請求項１】
側面から見て足側が上下に２分割しており、下方面を折り曲げ又は丸め込み、足枕状になり高さ調整ができることを特徴とする足枕機能付敷布団。
【請求項２】
収納部を設けた請求項１記載の足枕機能付敷布団とする。
【発明の詳細な説明】
【技術分野】
【０００１】
本発明は通常時に違和感なく使える敷布団が、足の疲労の際に敷布団が足枕の役目をして
尚且つ貴重品やお気に入りの香り袋などが手軽に収納できる敷布団に関するものである。
【背景技術】
【０００２】
本出願に係わる先行技術として、足枕付敷布団などがある。
【特許文献１】実開昭６２−２００９６０
【発明の開示】
【発明が解決しようとする課題】
【０００３】
しかしながら、上記の技術は、使用することが前提で考えられており、通常時（足枕機能を使用しない場合）には、取り外して、へこんだり、段差が付いたり、高さ調整などできず、また就寝中に無意識に取り払ったりして、快い快眠が得られなかった。
【０００４】
使用者がお気に入りの香り袋が手軽に収納できる足枕付敷布団がなく、不便であった。
【０００５】
防犯（貴重品を手軽に収納）できる足枕付敷布団がなく不便であった。
【課題を解決するための手段】
【０００６】
そこで、本発明は上記のような課題を解決するために、第１発明は、通常時にへこみや、段差がなくなるように、敷布団の側面から見て、敷布団の足側が上下２分割して、使用する場合に下方面を丸め込み、または、折り曲げ足枕状にする事が特徴な敷布団である。
【０００７】
第２発明は敷布団の側面に収納部分を設け、簡単に貴重品又は香り袋を挿入できる事を特徴とする敷布団である。
【発明の効果】
【０００８】
本発明の効果として、第１発明、または第２発明によれば、通常時に違和感なく使用できる敷布団が手軽に足枕付敷布団になり、足のむくみが取れ、肉体疲労の回復効果が得られるとともに、収納部が付いている為、貴重品の確保やお気に入りの香り袋など収納でき、精神的にも安定でき心地いい睡眠ができる。
【発明を実施するための最良の形態】
【０００９】
この発明の実施形態を図面に基づいて説明する。図１は、本発明の枕機能を使用していない通常時の側面図である。図２は平面図である。図３は足枕機能を使用した時の側面図である。図４は従来の足枕の図面である。
【実施例】
【００１０】
足枕となる部分図１の３，４の２分割されたおのおの長さは、均等にして、足部側の端から７０センチの所で二分化するのが好適であるが、この数値範囲に限定されるものではなく、敷布団の長さ、使用者の身長で二分化する長さが変わるのは、いうまでもない。
【００１１】
足枕になる部分図１の３，４の分け方は側面から見て、１：１の割合で分けるのが好適ではあるが、その割合を変えてもよい。
【００１２】
図３の４足側部の下方面を折り曲げ、または、丸め込む事により足枕になり、使用者の折り曲げ方などにより高さ調整が可能になる。
【００１３】
図１の２の収納部は別体の布袋を縫製して収納部として敷布団に設ける。取り付け場所などは、図1の２、頭部側の側面に設けると手が届き好適であるが、これに限定されるものではなく腰部側、足部側の側面でもよい。図１の２、収納袋の大きさなどは、縦２０センチ横３０センチが貴重品もしくは香り袋を収納しても、睡眠の妨げにならずに好適ではあるが、使用者の用途に合わせて、収納袋を大きくも、小さくもできるのはいうまでもない。
【００１４】
敷布団の中材は通常の布団綿、羽毛、羊毛、ポリエステル綿等の敷布団に適した素材を使用する。  
【００１５】
この実施形態によれば、図１、足枕機能を使用しない場合、へこみや段差などができずに違和感なく通常の布団として使用ができる。
【００１６】
この実施形態によれば、図３の４、足枕機能を使用した場合、就寝中、無意識に寝返り、蹴り上げようが、足枕機能が継続できる。
【００１７】
この実施形態によれば、図１の２、収納部に手軽に貴重品やお気に入りの香り袋が収納できる。
【図面の簡単な説明】
【００１８】
【図１】本発明の足枕機能を使用しない通常の側面図である。
【図２】本発明の平面図である。
【図３】本発明の脚枕機能を使用した場合の側面図である。
【図４】従来の足枕の図面
【符号の説明】
【００１９】
１：敷布団本体
２：収納部
３：足側上面部
４：足枕機能下面部
【図１】
2005058324.tif 000003
【図２】
2005058324.tif 000004
【図３】
2005058324.tif 000005
【図４】
2005058324.tif 000006
(57)【要約】【課題】  ぬか漬けをする際、高温時には、ぬか床に白かびが発生し、酸化や腐敗がすすみ、悪臭が出る等、難点があった。これらを解決して、おいしいぬか漬けが出来るようにするのが目的である。【解決手段】  漬物容器又は、その容器カバ−に収納部を設け、凍った保冷剤を収納できるようにしたことを特徴とする漬物容器及び漬物容器用保冷剤収納カバ−。【選択図】  図１
2005058198.tif 000002
【特許請求の範囲】
【請求項１】
漬物容器本体の側壁に保冷剤の収納部を設けて成る漬物容器。
【請求項２】
漬物容器の側壁に取り付けるための取付手段を有する容器カバ−と、この容器カバ−本体には保冷剤を収納するための収納部を有することを特徴とする漬物容器用保冷剤収納カバ−。
【発明の詳細な説明】
【技術分野】
【０００１】  本発明は、主にぬか漬けをする際、夏の高温によるぬか床の酸化や腐敗を防止するために、容器等に凍った保冷剤を収納できるようにした漬物容器及び漬物容器用保冷剤収納カバ−に関するものである。
【背景技術】
【０００２】  従来よりぬか漬けは、常温で、家の中の冷暗所に置く自然にまかせる方法であった。又、高温時、冷蔵庫へ入れる方法もあった。
【発明の開示】
【発明が解決しようとする課題】
【０００３】  そのために、次のような問題点があった。
（イ）ぬか床は、おいしく作るためには、通常、朝晩２回のかきまぜる作業はするが、それでも夏の高温時には、白かびが発生したり、すっぱくなり過ぎたり、悪臭が出て、途中で捨ててしまうこと等があった。
（ロ）冷蔵庫へ入れる場合、場所が狭く、その出し入れも面倒であり、又、低温すぎて日数がかかる上に、乳酸菌の発酵を活発にする要素が少なく、真においしいぬか漬けはできなかった。
本発明は、これらの問題点を解決するためになされたものである。
【課題を解決するための手段】
【０００４】  漬物容器又は、その容器カバ−に、保冷剤を収納する収納部を設けたことを特徴とする漬物用具である。
【発明の効果】
【０００５】  （イ）凍った保冷剤を収納することにより、夏の高温時でもぬか床は、適度にひんやりとした感触があり、乳酸菌の発酵も程よく、なおかつ、酸化や腐敗に進むことなく、誰でもおいしいぬか漬けを継続して漬けることができる。
（ロ）常温により、置き場所に困ることがない。
（ハ）他の夏の漬物にも広範囲に使用できる。
【発明を実施するための最良の形態】
【０００６】  以下、本発明の実施の形態について説明する。
（イ）漬物容器（１）の２ヶ所に保冷剤（２）を収納する収納部（３）を設ける。この収納部（３）は固定してもよいが、着脱自在にして、必要のない寒期には、取り外しができるようにすることもできる。
（ロ）同様に、容器カバ−（４）にも２ヶ所に、袋状の収納部（３）を設ける。
本発明は、以上のような構成で、これを使用する時は、冷蔵庫の冷凍室で凍らせた保冷剤（２）を収納部（３）へ収納する。即ち、ぬか床は、朝晩２回かきまぜて空気を取り入れ、乳酸菌を活発化させるので、その時、もう一手間をかけて、凍った保冷剤（２）に入れ替える作業をする。この保冷剤（２）は寒期には必要なく、他の時期においては、気温の上下により、１日の取り替えの回数や個数の増減をはかれば、ぬか床はいつも良好な状態に保つことができる。
以下は、本発明の異なる実施例について、各々説明する。
【実施例１】
【０００７】  図１に示するように、漬物容器（１）の外壁２ヶ所に保冷剤（２）を収納する収納部（３）を設ける。ポケット付き漬物容器となる。取り外しができるようにしてもよい。
【実施例２】
【０００８】  図２に示すように、漬物容器（１）を二重にし、外容器の底部を仕切り、内容器の漬け床をはめこみにして、両側に収納部（３）を設ける。そして、これは保冷剤（２）を収納した状態である。
以上は、漬物容器（１）に収納部（３）を設けた実施例であり、軽いプラスチック製類が適材である。
【実施例３】
【０００９】  図３は、漬物容器（１）に巻きつける容器カバ−（４）であり、２ヶ所に袋状の収納部（３）を設ける。両端に面ファスナ−（５）をつける。又、凍った保冷剤（２）を入れると容器カバ−（４）が下がりやすいので、上面にはベルト（６）を中央に渡して安定させ、一方を固定し、他方は面ファスナ−（５）をつける。ぬか床をまぜる時には、本体は動かさず、ベルト（６）だけをはずす。毎日の手入れには、この容器カバ−（４）が便利である。
【実施例４】
【００１０】  図４は、漬物容器（１）の上からかぶせる容器カバ−（４）であり、２ヶ所に袋状の収納部（３）を設ける、上面は空気が抜けるようにネット材を使用し、壁面はラミネ−ト加工生地等を使用する。溶けた保冷剤（２）の水分がしみ出やすいので、水ぬれに強い素材が適材である。
これらの容器カバ−（４）は、かめ、たる、ホ−ロ−引き、プラスチック製等の漬物容器（１）や、広口ガラスびんに至まで、広範囲に使用することができる。
【図面の簡単な説明】
【００１１】
【図１】本発明の第１実施例の容器の斜視図
【図２】本発明の第２実施例の容器に保冷剤を収納した斜視図
【図３】本発明の第３実施例の容器カバ−の全開図
【図４】本発明の第４実施例の容器カバ−の斜視図
【符号の説明】
【００１２】      １  漬物容器                    ４  容器カバ−
２  保冷剤                      ５  面ファスナ−
３  収納部                      ６  ベルト
【図１】
2005058198.tif 000003
【図２】
2005058198.tif 000004
【図３】
2005058198.tif 000005
【図４】
2005058198.tif 000006
(57)【要約】【課題】動物体内埋め込み電子回路いわゆるマイクロチップの挿入とＤＮＡ解析等のための細胞採取は関連無く別々に行われていた。【解決手段】本発明は、動物体内へのマイクロチップ挿入と同時にその動物細胞の採取を行えるように挿入器具を工夫加工し、細胞採取機能を設けた。また、同時に細胞の保管機能も持たせた。動物の苦痛も一度で済み、手間も省ける。【選択図】図２
2005058193.tif 000002
【特許請求の範囲】
【請求項１】
動物体内埋め込み電子回路いわゆるマイクロチップを体内に挿入する器具に細胞採取機能を設けた挿入器具。
【請求項２】
採取した細胞の保管機能をその挿入器具に設けた請求項１記載の挿入器具。
【請求項３】
請求項１記載の挿入器具または請求項２の挿入器具を用いた動物個体管理システム。
【発明の詳細な説明】
【技術分野】
【０００１】この発明は、動物体内埋め込み電子回路いわゆるマイクロチップの挿入器具に関する。
【背景技術】
【０００２】従来のマイクロチップ挿入のための器具は、マイクロチップ挿入のみを目的としていた。
【発明の開示】
【発明が解決しようとする課題】
【０００３】しかしながら、以上の従来技術によれば、近年技術進歩が著しいＤＮＡ分析調査のための細胞採取はマイクロチップ挿入とは別に細胞採取をしていた。
【課題を解決するための手段】
【０００４】本発明は、マイクロチップを動物の体内に挿入する際、その挿入器具を加工し工夫することにより細胞採取機能を設け、マイクロチップ挿入と同時に細胞採取を可能とする効果を得る。
【発明の効果】
【０００５】上述したように本発明のマイクロチップ挿入器具は、マイクロチップ挿入と同時にその動物個体の細胞を採取できる。【０００６】また、採取細胞の保管器具としての機能も併せ持つ。【０００７】動物への作業が一度で済み手間と動物の苦痛が減るという効果を得る。
【発明を実施するための最良の形態】
【０００８】以下、本発明の一実施形態を、図１〜図２に基づいて説明する。【０００９】図において、１はマイクロチップで、挿入器具２の針３の中にあり、押出し棒４により動物表皮５内に押入れられる。【００１０】４の押出し棒を例えば多孔質吸収材や繊維質材等または空洞にすることにより、動物体内においてその動物の体液を得て細胞を採取できる。【００１１】同時に、多孔質吸収材や繊維質材等または空洞は細胞保管機能も持つ。【００１２】また、針３を加工、例えば側面に穴を開ける等することにより、細胞採取機能を設けることもある。
【図面の簡単な説明】
【００１３】
【図１】本発明の実施形態を示すマイクロチップ挿入器具断面図
【図２】同マイクロチップ挿入器具の押出し棒を押出すことにより、動物体内にマイクロチップを挿入し体液・細胞を吸収材等に吸収している状態のマイクロチップ挿入器具断面図。
【符号の説明】
【００１４】  １  マイクロチップ
２  挿入器具
３  針（挿入針）
４  押出し棒
５  動物表皮
【図１】
2005058193.tif 000003
【図２】
2005058193.tif 000004
(57)【要約】【課題】この発明は、装着の際手間をかけず、手軽に持ち運びが出来る犬用エプロンを提供することを課題とする。【解決手段】肩ひもにゴムを使用することによってベルトや留め具がなくなり軽量化された犬用エプロンになる。ゴムを使用するとこによって上下左右から折りたため、内ポケットを使って図４の７のようにし、犬用ロープに図４の８を使って携帯できるよう装着する。【選択図】図１
2005058192.tif 000002
【特許請求の範囲】
【請求項１】
装着ベルトの代わりに肩ひも部分にゴムを入れ簡単に着脱できる事を特徴とする犬用エプロンである。
【請求項２】
ゴムを使用したことにより軽量化され小さく折りたたむことも可能になり、犬用ロープに装着し携帯できることを特徴とする請求項１記載の犬用エプロンである。
【発明の詳細な説明】
【技術分野】
【０００１】  この発明は、犬用エプロンに関する。
【背景技術】
【０００２】  従来の犬用エプロンは、特開２００２−２７２３００のように装着のためにベルトを使用している。
【特許文献１】特開２００２−２７２３００
【発明の開示】
【発明が解決しようとする課題】
【０００３】  しかしながら、以上の技術によれば、胸から腹部にかけての濡れや汚れは防げるが、着脱の際ベルトの手間と、ベルトや留め具の分だけ重量が増え小型犬には負担が大きいこと、雨上がりだけではなく朝露などで公園などが濡れているときなども使用したいが持ち運びに場所をとる。
そこで、この発明は、装着の際手間をかけず、手軽に持ち運びが出来る犬用エプロンを提供することを課題とする。
【課題を解決するための手段】
【０００４】  以上の課題を解決するために、第一発明は、ベルトではなくゴムにしたことを特徴とする犬用エプロンである。
また、第二発明は、持ち運びを簡単にする為小さく折りたたみ、携帯出来る事を特徴とする犬用エプロンである。
【発明の効果】
【０００５】  第一発明、または第二発明によれば、装着ベルトの代わりに肩ひもにゴムを入れることにより重量も軽減され小さく折りたため、携帯出来るエプロンになる。
【発明を実施するための最良の形態】
【０００６】  この発明の一実施形態を、図１〜図４に示す。
犬用エプロンの本体１は撥水加工済み素材であり、ゴム入り肩ひもである２は、手軽に着脱できるよう肩ひもにゴムを通したものからなる。３は固定のための面ファスナー（マジックテープ（登録商標））である。４は腹部にあたる部分で２枚重ねにし内側に収納用内ポケット５（図３の５）を付ける。【０００７】「実施形態の効果」
この実施形態によれば、図２のようにゴム入り肩ひも２が伸縮し頭から楽に着脱でき、ゴムを使用することによって上下左右から折りたため、内ポケット５を使って図４の７のようにし、携帯可能な形になり犬用ロープに図４の８を使って装着できるようになる。【０００８】「他の実施形態」
図１の実施形態では、濡れや汚れを防ぐ為に着用とあるが、本体の素材を換え５の内ポケット部分に保冷剤を入れ夏の暑さを和らげることにも使用できる。
【図面の簡単な説明】
【０００９】
【図１】犬用エプロンの一実施形態を示す全体図であり、着用時の様子として犬も描いてある。
【図２】図１を背側から見た平面図である。
【図３】図１の犬用エプロンを腹部側から見た時の図である。
【図４】図１の犬用エプロンを収納した時の全体図である。
【図５】従来技術を示す側面図である。
【符号の説明】
【００１０】１  エプロン本体                ２  ゴム入り肩ひも
３  面ファスナー                ４  腹部２枚重ね部分（表）
５  内ポケット                  ６  腹部２枚重ね部分（裏）
７  エプロンを収納したポケット
８  面ファスナーが付いている装着用テープ
【図１】
2005058192.tif 000003
【図２】
2005058192.tif 000004
【図３】
2005058192.tif 000005
【図４】
2005058192.tif 000006
【図５】
2005058192.tif 000007
(57)【要約】【課題】従来、蚕の繭から抽出したセリシンは、吸湿性が高く、保管においては、冷暗所においたり、密封容器に冷蔵保管をし、使用毎に小分けして、取り出していた。しかし一般家庭で入浴剤、化粧水、栄養補助職として利用する場合、密封・冷蔵保管を忘れると数日で腐食し、悪臭を放つ欠点があった。これを防止するには防腐剤等の混入を要した。【解決手段】この改善策として、液体または粉体及びその混合したセリシンをソフトカプセルで被包する事で保管が容易になるばかりでなく、防腐剤等の混入が不要となり、完全無添加のセリシンが提供できる【選択図】図１
2005058184.tif 000002
【特許請求の範囲】
【請求項１】
蚕が作り出す天然シルクタンパク質の一種であるセリシンの液体及び粉体またはそれらの混合物を、ソフトカプセルで被包してなる栄養補助食品・化粧水剤・入浴剤・紫外線吸収剤。
【発明の詳細な説明】
【技術分野】本発明は救出・腐食を防止したセリシンに関するものである。【０００１】
【背景技術】
【０００２】従来、蚕の繭から抽出したセリシンは、吸湿性が高く、保管においては、冷暗所においたり、密封容器に冷蔵保管をし、使用毎に小分けして、取り出していた。
【発明の開示】
【発明が解決しようとする課題】
【０００３】しかし一般家庭で入浴剤、化粧水、栄養補助職として利用する場合、密封・冷蔵保管を忘れると数日で腐食し、悪臭を放つ欠点があった。
これを防止するには防腐剤等の混入を要した。
【課題を解決するための手段】
【０００４】この改善策として、液体または粉体及びその混合したセリシンをソフトカプセルで被包する事で保管が容易になるばかりでなく、防腐剤等の混入が不要となり、完全無添加のセリシンが提供できる。
【発明を実施するための最良の形態】
【０００５】通常の家庭で密封・冷蔵保管しなくても腐食・悪臭のしなく、防腐剤不要の完全無添加カプセルセリシンを実現した。
【実施例】図−１は完全無添加ソフトカプセルセリシンである【０００６】１は完全無添加セリシンである。【０００７】２は油類による可食性ソフトカプセルである。
【産業上の利用可能性】
【０００８】以上説明したように本発明の完全無添加ソフトカプセルセリシンは完全密封状態となるため腐食を防止し、常温状態で利用できる。
カプセルは可食性のため口に入れても全く問題はなく、水に投入して入浴剤、化粧水として、洗濯機に投入して衣類に付着させて紫外線吸収に及び健康食品として飲むことができる。
【図面の簡単な説明】
【０００９】
【図１】図は完全無添加ソフトカプセルセリシンである。形は球で示しているがあらゆる形のカプセルにすることができる。
【符号の説明】
【００１０】１は完全無添加セリシンである。
２はソフトカプセルである。
【図１】
2005058184.tif 000003
(57)【要約】【課題】犬猫の糞尿を手で、処理していた、又砂、代用砂等も使用していたが、水洗にて糞尿を処理する事ができる。【解決手段】人間用の便器の上に犬用１２猫用１の便器を乗せ、水で洗流すようにしたトイレで、又洗い流す方法を、場所によって選択し、シャワー１４を取り付け広い場所でわ、便器１と水道管１７を接続し、じかにあらい流す様にする．又洗い流した糞尿は人間用便器に落し、排水するようにした。【選択図】図６
2005058185.tif 000002
【特許請求の範囲】
【請求項１】
人間の水洗便器の上に，犬用猫用の便器を載せ、犬猫の糞を人間の便器の中に洗い流し人間用の便器より排水する。人が使用する時は取外し、犬用猫用便器は折りたたみ、又わ取外し収納しておく
【請求項２】
猫用の場合本体低部の中に磁石を配し敷板の上に樹脂加工した、鉄球と鉄片又ステンレス球など磁石に着く金属を配する。
【請求項３】
犬専用の場合、本体サイドの横１辺に、取付け可能な壁を付ける
【請求項４】
正面ドアの場合登り板は、便器の横にとりつける。横から入るドアの場合折りたたみ式にした登板を取り付ける．
【請求項５】
水洗方法は、水道と便器とを接続し、流す方法と、シャワーのどちらかを場所によって選択し、使用する。
【発明の詳細な説明】
【発明の詳細な説明】
【０００１】本発明は犬猫用のトイレを水洗にしたもので、人間用の便器の上に犬猫の便器を乗せ、水で洗流すようにしたトイレで、何時も犬猫トイレを清潔に保たれるようにした。又洗い流す方法を、場所によって選択し、シャワーを取りつけ、広い場所でわ、便器と配管を接続し、じかにあらい流す様にする．又洗い流した糞尿は人間用便器に落し、排水する．
【０００２】従来、犬猫用のトイレは、砂，又代用砂又ペットシート等を使用して、人が手で糞尿を塵箱又わトイレ流し処理をしていた。
【０００３】本発明は犬猫用の，トイレを水洗にしたもので、糞尿の処理を，手を使用せず水洗処理するものである。それを図面ついて説明すれば、まず水道の配管の便利な場所でわ、水道との接続口８と水道管１７と接続させる。
洗浄用穴明きパイプ１４の穴５から、水が出て敷板上の糞尿を洗い流し、排水口９より人間用便器１６に流し排水する．
又配管のしにくい場所でわ、シャワー２３を取りつけ、シャワー２３にて洗浄する。又猫用トイレの場合、底部に磁石板１３を設置し、上に鉄球鉄片の樹脂加工した物か、ステンレス球４を敷く。
【０００４】この様にすれば、糞尿を即座に処理し、臭い等に悩まされず処理出来る．
又人間用トイレの換気扇を利用できる為、臭気もこもらない。
【図面の簡単な説明】
【図１】本考案の猫用便器と登り板とをセットした平面図である
【図２】本考案の猫用便器と登り板とをセットした側面図である
【図３】猫用便器の便器を折りたたんだ図である
【図４】本考案の猫用便器のＡ〜Ａ断面図である。
【図５】本考案の猫用便器のＢ〜Ｂ断面図である。
【図６】人間用便器に猫用便器をセツテングした図である。
【図７】本考案の犬用便器登り板とをセットしたの平面図である
【図８】本考案の犬用便器登り板とをセットした側面図である
【図９】人間用便器に犬用便器登り板とをセットした図である。
【符号の説明】
１  猫用便器
２  登り板と本体を接続させる為のフレーム
３  便器と登り板の収納箱
４  鉄球、鉄片又ステンレス球
５  洗浄用穴明きパイプ
６  登り板に張り付けたゴム板
７  登り板と本体を接続させる為の鋲
８  前面洗浄用穴明きパイプに水を送り込む為の給水口
９  糞尿の排水口
１０  収納する為の取手口
１１  便器のズレ止め
１２  犬用便器
１３  磁石板
１４  犬の便器を洗い流す為のシャワー
１５  洗浄用穴明きパイプに水を送る為のホース
１６  人間用便器
１７  水道管
１８  止水弁
１９  人工芝マット
２０  犬用尿防止用壁
２１  便器の横に取り付ける登板
２２  便器の横に取り付ける登り板を支える支柱
【図１】
2005058185.tif 000003
【図２】
2005058185.tif 000004
【図３】
2005058185.tif 000005
【図４】
2005058185.tif 000006
【図５】
2005058185.tif 000007
【図６】
2005058185.tif 000008
【図７】
2005058185.tif 000009
【図８】
2005058185.tif 000010
【図９】
2005058185.tif 000011
(57)【要約】【目的】釣は、釣果が獲られれば、より楽しい行楽となる。魚の食指向を刺激し、集魚効果を高めるルアーをつくり、その機会を得やすくするのが目的である。【構成】ルアー本体内に、振動素子及び発光素子と、それらの作動を制御する電子回路を組込み、電気的エネルギーにて擬似的な振動や発光を起こさせるようにした。【選択図】図１
2005058181.tif 000002
【特許請求の範囲】
【請求項１】
電気的に振動と発光を起こす機能を内蔵したルアー
【発明の詳細な説明】
【発明の詳細な説明】
【産業上の利用分野】
【０００１】この発明は、電気エネルギーで振動及び発光する機能を内蔵した、魚釣りに使うルアー（疑似餌針）に関するものである。
【背景技術】
【０００２】今までのルアーは、それぞれに色・形・水中での動作等、各々の機能特徴の組合せで作られており、釣果は釣り手のルアー選びの判断と、魚の食指向を誘いだす操作技量が大きく影響していた。従って経験が少なく不得手な者には、釣果の喜びを味わう機会も少なかった。
【発明が解決しょうとする課題】
【０００３】釣り人の経験・技量の如何に関わらず、釣果の喜びを今まで以上に多く得られるようにする事を課題として、従来のルアーの機能特徴に加えて、更に魚の食指向を刺激し高めるような、新しい機能を持ったルアーを作る事を思い立ち研究した。
【課題を解決するための手段】
【０００４】一般に、魚が光と振動に敏感に反応する事は、周知の事実である。そこに着目して、ルアーに電気的に振動と光を発生させる機能を組み込む事を考えついた。
【作用】
【０００５】このような仕組みによって、ルアーに、魚の生態活動で発する様々な振動とか、鱗が反射した様なキラメキを、擬似的に作り出させるようにすれば、遠くからでも捕食活動中の対象魚にルアーの存在を、体感感知させたり視覚感知させる事が出来る。
【実施例】
【０００６】ルアーの形は、魚型・エビ型・ワーム型等自由に作れる。
ルアー本体内に、振動機器及び発光ダイオードとか、微小な管球等の発光素子と制御用の電子回路を組み込み、電気的エネルギーにて振動及び発光を起こすようにする。
電気的エネルギー源には、乾電池、又はソーラー発電システムを内蔵したり、蓄電池を内蔵させ外部より充電する方式等を用いる。
ルアー本体の形成には、外側から発光の状態が確認出来るような素材及び仕組みを用いる。
【発明の効果】
【０００７】本発明は、以上のような構成であるため、従来のルアーに比べ、その作用によって集魚効果を高め、また、魚の食指向をより刺激するので、年齢や経験や技術にさほど影響なく、釣果の喜びの機会を、多くの人に得やすくする効果が生まれ、リクレーションとしての釣がより親しみ易いものとなる。
【図面の簡単な説明】
【０００８】
【図１】本発明の横正面図
【符号の説明】
【０００９】（１）はラインの連結部
（２）はルアー本体
（３）は針
（４）は機能内蔵部
【図１】
2005058181.tif 000003